(57)【特許請求の範囲】
【請求項１】
可燃性冷媒が使用される空気調和機の室内機であって、
ケーシングと、
前記ケーシングに収容される室内熱交換器と、
前記ケーシングの内部に配置されたセンサ取付部と、
前記センサ取付部に着脱可能に取り付けられる冷媒ガス検出センサとを備え、
前記ケーシングが開いた状態において、
前記冷媒ガス検出センサの取り外し方向に、前記冷媒ガス検出センサの取り外しを規制する規制部材が配置され、前記規制部材は、前記室内熱交換器から延びた冷媒配管に接続される連絡配管であることを特徴とする空気調和機の室内機。
【請求項２】
可燃性冷媒が使用される空気調和機の室内機であって、
ケーシングと、
前記ケーシングに収容される室内熱交換器と、
前記ケーシングの内部に配置されたセンサ取付部と、
前記センサ取付部に着脱可能に取り付けられる冷媒ガス検出センサとを備え、
前記ケーシングが開いた状態において、
前記冷媒ガス検出センサの取り外し方向に、前記冷媒ガス検出センサの取り外しを規制する規制部材が配置され、前記規制部材は、断熱材であることを特徴とする空気調和機の室内機。
【請求項３】
前記冷媒ガス検出センサは、
前記センサ取付部に対して、前記冷媒ガス検出センサの取り外し方向に所定距離スライドさせることによって取り外されるものであり、
前記冷媒ガス検出センサのスライド範囲内に、前記規制部材が配置されることを特徴とする請求項１又は２に記載の空気調和機の室内機。
【請求項４】
前記センサ取付部は、前記冷媒ガス検出センサを固定するためのセンサ固定部を有しており、
前記冷媒ガス検出センサは、前記センサ固定部に固定された固定部材が外された後で、前記センサ取付部から取り外されるものであり、
前記固定部材が外される方向に、前記規制部材が配置されることを特徴とする請求項１から３のいずれかに記載の空気調和機の室内機。
【請求項５】
前記室内熱交換器の長手方向外側に配置された電装品箱を有しており、
前記冷媒ガス検出センサが、前記室内熱交換器の長手方向外側、かつ前記電装品箱と同じ側に配置されることを特徴とする請求項１から４のいずれかに記載の空気調和機の室内機。
【請求項６】
可燃性冷媒が使用される空気調和機の室内機であって、
ケーシングと、
前記ケーシングに収容される室内熱交換器と、
前記ケーシングの内部に配置されたセンサ取付部と、
前記センサ取付部に着脱可能に取り付けられる冷媒ガス検出センサと、
前記室内熱交換器の長手方向外側に配置された電装品箱とを備え、
前記ケーシングが開いた状態において、
前記室内熱交換器の長手方向外側、かつ前記電装品箱と同じ側に配置された前記冷媒ガス検出センサの取り外し方向に、前記冷媒ガス検出センサの取り外しを規制する規制部材が配置され、前記規制部材は、前記電装品箱であることを特徴とする空気調和機の室内機。
【請求項７】
前記冷媒ガス検出センサは、
前記センサ取付部に対して、前記冷媒ガス検出センサの取り外し方向に所定距離スライドさせることによって取り外されるものであり、
前記冷媒ガス検出センサのスライド範囲内に、前記規制部材が配置されることを特徴とする請求項６に記載の空気調和機の室内機。
【請求項８】
前記センサ取付部は、前記冷媒ガス検出センサを固定するためのセンサ固定部を有しており、
前記冷媒ガス検出センサは、前記センサ固定部に固定された固定部材が外された後で、前記センサ取付部から取り外されるものであり、
前記固定部材が外される方向に、前記規制部材が配置されることを特徴とする請求項６又は７に記載の空気調和機の室内機。
【発明の詳細な説明】
【技術分野】
【０００１】
本発明は、可燃性冷媒が使用される空気調和機の室内機に関する。
【０００２】
従来から、可燃性冷媒が使用される空気調和機において、空気調和機の室内機に冷媒ガス検出センサが取り付けられたものが知られている。
【先行技術文献】
【特許文献】
【０００３】
【特許文献１】特開２０１２−１３３４８号公報
【発明の概要】
【発明が解決しようとする課題】
【０００４】
上記のような空気調和機の室内機では、サービスマン等が室内機の内部をメンテナンスする際に（特に、例えば電装品箱を取り外す際など）、誤って冷媒ガス検出センサを取り外してしまい、冷媒ガス検出センサが故障するおそれがある。
【０００５】
そこで、本発明の目的は、冷媒ガス検出センサが容易に取り外されてしまうのを防止できる空気調和機の室内機を提供することである。
【課題を解決するための手段】
【０００６】
第１の発明にかかる空気調和機の室内機は、可燃性冷媒が使用される空気調和機の室内機であって、
ケーシングと、
前記ケーシングに収容される室内熱交換器と、
前記ケーシングの内部に配置されたセンサ取付部と、
前記センサ取付部に着脱可能に取り付けられる冷媒ガス検出センサとを備え、
前記ケーシングが開いた状態において、
前記冷媒ガス検出センサの取り外し方向に、前記冷媒ガス検出センサの取り外しを規制する規制部材が配置され、前記規制部材は、前記室内熱交換器から延びた冷媒配管に接続される連絡配管であることを特徴とする。
【０００７】
この空気調和機の室内機では、ケーシングが開いた状態において、冷媒ガス検出センサの取り外し方向に、冷媒ガス検出センサの取り外しを規制する規制部材が配置されるので、冷媒ガス検出センサが容易に取り外されてしまうのを防止できる。したがって、サービスマン等が誤って冷媒ガス検出センサを取り外して、冷媒ガス検出センサが故障するのを防止できる。また規制部材が、室内熱交換器から延びた冷媒配管に接続される連絡配管であるので、冷媒回路内の冷媒を抜いて、連絡配管を取り外したあとでなければ、冷媒ガス検出センサを取り外すことができないので、冷媒ガス検出センサが取り外されるのをより防止しやすい。従来から室内機の内部に配置される連絡配管を利用して、冷媒ガス検出センサの取り外しを防止しているので、冷媒ガス検出センサの取り外しを防止する構成を新たに追加する必要がない。
【０００８】
第２の発明にかかる空気調和機の室内機は、可燃性冷媒が使用される空気調和機の室内機であって、
ケーシングと、
前記ケーシングに収容される室内熱交換器と、
前記ケーシングの内部に配置されたセンサ取付部と、
前記センサ取付部に着脱可能に取り付けられる冷媒ガス検出センサとを備え、
前記ケーシングが開いた状態において、
前記冷媒ガス検出センサの取り外し方向に、前記冷媒ガス検出センサの取り外しを規制する規制部材が配置され、前記規制部材は、断熱材であることを特徴とする。
【０００９】
この空気調和機の室内機では、ケーシングが開いた状態において、冷媒ガス検出センサの取り外し方向に、冷媒ガス検出センサの取り外しを規制する規制部材が配置されるので、冷媒ガス検出センサが容易に取り外されてしまうのを防止できる。したがって、サービスマン等が誤って冷媒ガス検出センサを取り外して、冷媒ガス検出センサが故障するのを防止できる。また従来から室内機の内部に配置される断熱材を利用して、冷媒ガス検出センサの取り外しを防止しているので、冷媒ガス検出センサの取り外しを防止する構成を新たに追加する必要がない。
【００１０】
第３の発明にかかる空気調和機の室内機は、前記冷媒ガス検出センサは、
前記センサ取付部に対して、前記冷媒ガス検出センサの取り外し方向に所定距離スライドさせることによって取り外されるものであり、
前記冷媒ガス検出センサのスライド範囲内に、前記規制部材が配置されることを特徴とする。
【００１１】
この空気調和機の室内機では、冷媒ガス検出センサの取り外し方向に冷媒ガス検出センサをスライドさせることによって、冷媒ガス検出センサがセンサ取付部から取り外されるものにおいて、冷媒ガス検出センサのスライド範囲内に、規制部材が配置されるので、冷媒ガス検出センサが容易に取り外されてしまうのを防止できる。
【００１２】
第４の発明にかかる空気調和機の室内機は、前記センサ取付部は、前記冷媒ガス検出センサを固定するためのセンサ固定部を有しており、
前記冷媒ガス検出センサは、前記センサ固定部に固定された固定部材が外された後で、前記センサ取付部から取り外されるものであり、
前記固定部材が外される方向に、前記規制部材が配置されることを特徴とする。
【００１３】
この空気調和機の室内機では、冷媒ガス検出センサが、センサ固定部に固定された固定部材が外された後で、センサ取付部から取り外されるものにおいて、固定部材が外される方向に、規制部材が配置されるので、冷媒ガス検出センサが容易に取り外されてしまうのを防止できる。
【００１４】
第５の発明にかかる空気調和機の室内機は、前記室内熱交換器の長手方向外側に配置された電装品箱を有しており、
前記冷媒ガス検出センサが、前記室内熱交換器の長手方向外側、かつ前記電装品箱と同じ側に配置されることを特徴とする。
【００１５】
この空気調和機の室内機では、冷媒ガス検出センサが室内熱交換器に対して電装品箱と同じ側に配置されて、冷媒ガス検出センサが誤って取り外されやすい状態において、冷媒ガス検出センサの取り外し方向に、冷媒ガス検出センサの取り外しを規制する規制部材が配置されるので、冷媒ガス検出センサが容易に取り外されてしまうのを防止できる。
【００１６】
第６の発明にかかる空気調和機の室内機は、可燃性冷媒が使用される空気調和機の室内機であって、
ケーシングと、
前記ケーシングに収容される室内熱交換器と、
前記ケーシングの内部に配置されたセンサ取付部と、
前記センサ取付部に着脱可能に取り付けられる冷媒ガス検出センサと、
前記室内熱交換器の長手方向外側に配置された電装品箱とを備え、
前記ケーシングが開いた状態において、
前記室内熱交換器の長手方向外側、かつ前記電装品箱と同じ側に配置された前記冷媒ガス検出センサの取り外し方向に、前記冷媒ガス検出センサの取り外しを規制する規制部材が配置され、前記規制部材は、前記電装品箱であることを特徴とする。
【００１７】
この空気調和機の室内機では、ケーシングが開いた状態において、冷媒ガス検出センサの取り外し方向に、冷媒ガス検出センサの取り外しを規制する規制部材が配置されるので、冷媒ガス検出センサが容易に取り外されてしまうのを防止できる。したがって、サービスマン等が誤って冷媒ガス検出センサを取り外して、冷媒ガス検出センサが故障するのを防止できる。また冷媒ガス検出センサが室内熱交換器に対して電装品箱と同じ側に配置されて、冷媒ガス検出センサが誤って取り外されやすい状態において、冷媒ガス検出センサの取り外し方向に、冷媒ガス検出センサの取り外しを規制する規制部材が配置されるので、冷媒ガス検出センサが容易に取り外されてしまうのを防止できる。従来から室内機の内部に配置される電装品箱を利用して、冷媒ガス検出センサの取り外しを防止しているので、冷媒ガス検出センサの取り外しを防止する構成を新たに追加する必要がない。
【００１８】
第７の発明にかかる空気調和機の室内機は、前記冷媒ガス検出センサは、
前記センサ取付部に対して、前記冷媒ガス検出センサの取り外し方向に所定距離スライドさせることによって取り外されるものであり、
前記冷媒ガス検出センサのスライド範囲内に、前記規制部材が配置されることを特徴とする。
【００１９】
この空気調和機の室内機では、冷媒ガス検出センサの取り外し方向に冷媒ガス検出センサをスライドさせることによって、冷媒ガス検出センサがセンサ取付部から取り外されるものにおいて、冷媒ガス検出センサのスライド範囲内に、規制部材が配置されるので、冷媒ガス検出センサが容易に取り外されてしまうのを防止できる。
第８の発明にかかる空気調和機の室内機は、前記センサ取付部は、前記冷媒ガス検出センサを固定するためのセンサ固定部を有しており、
前記冷媒ガス検出センサは、前記センサ固定部に固定された固定部材が外された後で、前記センサ取付部から取り外されるものであり、
前記固定部材が外される方向に、前記規制部材が配置されることを特徴とする。
この空気調和機の室内機では、冷媒ガス検出センサが、センサ固定部に固定された固定部材が外された後で、センサ取付部から取り外されるものにおいて、固定部材が外される方向に、規制部材が配置されるので、冷媒ガス検出センサが容易に取り外されてしまうのを防止できる。
【発明の効果】
【００２０】
以上の説明に述べたように、本発明によれば、以下の効果が得られる。
【００２１】
第１の発明では、ケーシングが開いた状態において、冷媒ガス検出センサの取り外し方向に、冷媒ガス検出センサの取り外しを規制する規制部材が配置されるので、冷媒ガス検出センサが容易に取り外されてしまうのを防止できる。したがって、サービスマン等が誤って冷媒ガス検出センサを取り外して、冷媒ガス検出センサが故障するのを防止できる。また規制部材が、室内熱交換器から延びた冷媒配管に接続される連絡配管であるので、冷媒回路内の冷媒を抜いて、連絡配管を取り外したあとでなければ、冷媒ガス検出センサを取り外すことができないので、冷媒ガス検出センサが取り外されるのをより防止しやすい。また、従来から室内機の内部に配置される連絡配管を利用して、冷媒ガス検出センサの取り外しを防止しているので、冷媒ガス検出センサの取り外しを防止する構成を新たに追加する必要がない。
【００２２】
第２の発明では、ケーシングが開いた状態において、冷媒ガス検出センサの取り外し方向に、冷媒ガス検出センサの取り外しを規制する規制部材が配置されるので、冷媒ガス検出センサが容易に取り外されてしまうのを防止できる。したがって、サービスマン等が誤って冷媒ガス検出センサを取り外して、冷媒ガス検出センサが故障するのを防止できる。また従来から室内機の内部に配置される断熱材を利用して、冷媒ガス検出センサの取り外しを防止しているので、冷媒ガス検出センサの取り外しを防止する構成を新たに追加する必要がない。
【００２３】
第３の発明では、冷媒ガス検出センサの取り外し方向に冷媒ガス検出センサをスライドさせることによって、冷媒ガス検出センサがセンサ取付部から取り外されるものにおいて、冷媒ガス検出センサのスライド範囲内に、規制部材が配置されるので、冷媒ガス検出センサが容易に取り外されてしまうのを防止できる。
【００２４】
第４の発明では、冷媒ガス検出センサが、センサ固定部に固定された固定部材が外された後で、センサ取付部から取り外されるものにおいて、固定部材が外される方向に、規制部材が配置されるので、冷媒ガス検出センサが容易に取り外されてしまうのを防止できる。
【００２５】
第５の発明では、冷媒ガス検出センサが室内熱交換器に対して電装品箱と同じ側に配置されて、冷媒ガス検出センサが誤って取り外されやすい状態において、冷媒ガス検出センサの取り外し方向に、冷媒ガス検出センサの取り外しを規制する規制部材が配置されるので、冷媒ガス検出センサが容易に取り外されてしまうのを防止できる。
【００２６】
第６の発明では、ケーシングが開いた状態において、冷媒ガス検出センサの取り外し方向に、冷媒ガス検出センサの取り外しを規制する規制部材が配置されるので、冷媒ガス検出センサが容易に取り外されてしまうのを防止できる。したがって、サービスマン等が誤って冷媒ガス検出センサを取り外して、冷媒ガス検出センサが故障するのを防止できる。また冷媒ガス検出センサが室内熱交換器に対して電装品箱と同じ側に配置されて、冷媒ガス検出センサが誤って取り外されやすい状態において、冷媒ガス検出センサの取り外し方向に、冷媒ガス検出センサの取り外しを規制する規制部材が配置されるので、冷媒ガス検出センサが容易に取り外されてしまうのを防止できる。従来から室内機の内部に配置される電装品箱を利用して、冷媒ガス検出センサの取り外しを防止しているので、冷媒ガス検出センサの取り外しを防止する構成を新たに追加する必要がない。
【００２７】
第７の発明では、冷媒ガス検出センサの取り外し方向に冷媒ガス検出センサをスライドさせることによって、冷媒ガス検出センサがセンサ取付部から取り外されるものにおいて、冷媒ガス検出センサのスライド範囲内に、規制部材が配置されるので、冷媒ガス検出センサが容易に取り外されてしまうのを防止できる。
第８の発明では、冷媒ガス検出センサが、センサ固定部に固定された固定部材が外された後で、センサ取付部から取り外されるものにおいて、固定部材が外される方向に、規制部材が配置されるので、冷媒ガス検出センサが容易に取り外されてしまうのを防止できる。
【図面の簡単な説明】
【００２８】
【図１】本発明の実施の形態にかかる空気調和機の冷媒回路を示す回路図である。
【図２】図１に示す室内機の斜視図である。
【図３】室内機の正面図である。
【図４】図３に示すIV-IV線断面図である。
【図５】図３に示すV-V線断面図である。
【図６】室内機から前面グリル及び前面パネルを取り外したときの斜視図である。
【図７】室内機から前面グリル及び前面パネルを取り外したときの正面図である。
【図８】（ａ）は、図６に示すドレンパンの平面図であり、（ｂ）は、正面図であり、（ｃ）は、右側面図である。
【図９】室内機の制御ブロックを示す図である。
【図１０】（ａ）は、図５に示す冷媒ガス検出センサから下ハウジングを取り外したときの斜視図であり、（ｂ）は、冷媒ガス検出センサの断面図である。
【図１１】（ａ）は、冷媒ガス検出センサが配置される部分を正面から見た拡大図であり、（ｂ）は、（ａ）から連絡配管の図示を省略した図であり、（ｃ）は、（ｂ）から冷媒ガス検出センサを取り外したときの図である。
【図１２】（ａ）は、冷媒ガス検出センサが、センサ取付部に取り付けられた状態を示す断面図であり、（ｂ）は、冷媒ガス検出センサの取り外しを説明する図である。
【図１３】本発明の第１変形例にかかる空気調和機の室内機の図１１（ｂ）相当図である。
【図１４】本発明の第２変形例にかかる空気調和機の室内機の概略図である。
【発明を実施するための形態】
【００２９】
以下、図面を参照しつつ本発明に係る空気調和機の実施の形態について説明する。
【００３０】
［空気調和機の全体構成］
図１に示すように、本実施形態の空気調和機は、圧縮機１と、圧縮機１の吐出側が一端に接続された四路切換弁２と、四路切換弁２の他端に一端が接続された室外熱交換器３と、室外熱交換器３の他端に一端が接続された電動膨張弁４と、電動膨張弁４の他端に閉鎖弁１２、連絡配管Ｌ１を介して一端が接続された室内熱交換器５と、室内熱交換器５の他端に閉鎖弁１３、連絡配管Ｌ２、四路切換弁２を介して一端が接続され、他端が圧縮機１の吸入側に接続されたアキュムレータ６とを備えている。上記の圧縮機１、四路切換弁２、室外熱交換器３、電動膨張弁４、室内熱交換器５およびアキュムレータ６で冷媒回路が構成されている。
【００３１】
また、この空気調和機は、室外熱交換器３の近傍に配置された室外ファン７と、室内熱交換器５の近傍に配置された室内ファン８とを備えている。上記の圧縮機１、四路切換弁２、室外熱交換器３、電動膨張弁４、アキュムレータ６、及び室外ファン７は、室外機１０に配置され、室内熱交換器５、及び室内ファン８は、室内機２０に配置されている。
【００３２】
この空気調和機では、暖房運転時、四路切換弁２を実線の切換え位置に切り換えて、圧縮機１を起動すると、圧縮機１から吐出された高圧冷媒が四路切換弁２を通って室内熱交換器５に入る。そして、室内熱交換器５で凝縮した冷媒は、電動膨張弁４で減圧された後に室外熱交換器３に入る。室外熱交換器３で蒸発した冷媒が四路切換弁２およびアキュムレータ６を介して圧縮機１の吸入側に戻る。こうして、圧縮機１、室内熱交換器５、電動膨張弁４、室外熱交換器３およびアキュムレータ６で構成された冷媒回路を冷媒が循環して、冷凍サイクルを実行する。そして、室内ファン８により室内熱交換器５を介して室内空気を循環させることにより室内を暖房する。
【００３３】
これに対して、冷房運転時（除湿運転時を含む）は、四路切換弁２を点線の切換え位置に切り換えて、圧縮機１を起動すると、圧縮機１から吐出された高圧冷媒が四路切換弁２を通って室外熱交換器３に入る。そして、室外熱交換器３で凝縮した冷媒は、電動膨張弁４で減圧された後に室内熱交換器５に入る。室内熱交換器５で蒸発した冷媒が四路切換弁２およびアキュムレータ６を介して圧縮機１の吸入側に戻る。こうして、圧縮機１、室外熱交換器３、電動膨張弁４、室内熱交換器５およびアキュムレータ６の順に冷媒が循環する冷凍サイクルを実行する。そして、室内ファン８により室内熱交換器５を介して室内空気を循環させることにより室内を冷房する。
【００３４】
この空気調和機では、可燃性冷媒が使用される。本発明において「可燃性冷媒」とは、可燃性冷媒のほか微燃性冷媒を含む。この空気調和機では、微燃性冷媒であるＲ３２が用いられるが、例えばＲ２９０が用いられてもよい。また、この空気調和機では、空気よりも比重が大きい冷媒が使用される。
【００３５】
［室内機］
図２−図４に示すように、室内機２０は、床置き型の室内機であって、室内の壁面に後面側が取り付けられる略長方形状の底フレーム２１と、底フレーム２１の前面側に取り付けられ、前面に略長方形状の開口部２２ｃを有する前面グリル２２と、前面グリル２２の開口部２２ｃを覆うように取り付けられた前面パネル２３とを備えている。この底フレーム２１、前面グリル２２、及び前面パネル２３により、ケーシング２０ａが形成されている。
【００３６】
前面グリル２２の上部には、上側吹出口２２ａが設けられ、前面グリル２２の下部には、下側吹出口２２ｂが設けられている。上側吹出口２２ａに連通する上側吹き出し通路Ｐ１には、上下方向について上側吹出口２２ａから吹き出される空気流の風向を変更する上下フラップ２４が設けられている。上下フラップ２４には、フラップモータ２４ａ（図９参照）が接続されている。上下フラップ２４は、フラップモータ２４ａの駆動により、水平方向に沿った回転軸の周りを回動可能である。この上下フラップ２４は、冷房運転および暖房運転時には、上側吹出口２２ａから冷風または温風が前方かつ斜め上方に吹き出される位置まで回動して、その位置で停止する。また、運転停止時は、図２に示すように、上側吹出口２２ａを閉じる。
【００３７】
一方、下側吹出口２２ｂに連通する下側吹き出し通路Ｐ２内には、下側吹出口２２ｂを開閉するシャッター３０と、左右方向について下側吹出口２２ｂから吹き出される空気流の風向を変更する左右フラップ３１が配置されている。シャッター３０には、シャッターモータ３０ｂが接続されている。シャッター３０は、シャッターモータ３０ｂの駆動により、図４に示すように、水平方向に沿った軸３０ａを中心に回動する。このシャッター３０は、一点鎖線で示すＡの位置で停止して、下側吹出口２２ｂを開き、一点鎖線で示すＢの位置で停止して、下側吹出口２２ｂを閉じる。なお、左右フラップ３１は、手動でフラップの向きが調整されるものである。
【００３８】
また、上記前面パネル２３の上側には、上側吸込口２３ａが設けられ、前面パネル２３の下側には、下側吸込口２３ｂが設けられ、さらに前面パネル２３の左右の側面には、側方吸込口２３ｃ（図２では右側のみを示す）が設けられている。
【００３９】
図４に示すように、底フレーム２１の略中央には、ファンモータ２６が固定されている。このファンモータ２６の軸が接続された室内ファン８が、軸が前後方向になるように底フレーム２１に配置されている。室内ファン８は、前面側から吸い込んだ空気を軸に対して半径方向外側に吹き出すターボファンである。また、底フレーム２１は、室内ファン８の前面側に形成されたベルマウス２７を有している。そして、ベルマウス２７の前面側に室内熱交換器５が配置され、その室内熱交換器５の前面側に前面グリル２２が取り付けられる。また、その前面グリル２２のさらに前面側に前面パネル２３が取り付けられる。前面グリル２２の開口部２２ｃには、フィルタ２５が取り付けられている。
【００４０】
この空気調和機では、運転が開始されると、ファンモータ２６が駆動して、室内ファン８が回転する。そして、室内ファン８の回転によって、上側吸込口２３ａ、下側吸込口２３ｂ、及び側方吸込口２３ｃから室内機２０の内部に室内空気が吸い込まれて、室内機２０の内部に吸い込まれた室内空気は、室内熱交換器５で熱交換された後、上側吹出口２２ａおよび下側吹出口２２ｂからが室内に吹き出される。なお、シャッター３０が、下側吹出口２２ｂを閉じている場合には、室内機２０の内部に吸い込まれた室内空気は、上側吹出口２２ａのみから吹き出される。
【００４１】
図５−図７に示すように、室内熱交換器５の下方には、室内熱交換器５で生じた空気中からの凝縮水を受け取って排水するためのドレンパン２８が配置されている。このドレンパン２８の周囲は、断熱材４０で覆われている。また、室内熱交換器５の右外側（長手方向外側）、かつ上方には、電装品箱５０が配置されている。電装品箱５０の下方には、センサ取付部７０（図１１（ｃ）参照）が配置されており、センサ取付部７０には、冷媒ガス検出センサ９が着脱可能に取り付けられている。この冷媒ガス検出センサ９は、室内熱交換器５及びドレンパン２８の右外側（長手方向外側）に配置される。図５に示すように、電装品箱５０は、冷媒ガス検出センサ９から延びたハーネス６８が接続されるハーネス接続部５２を有している。ハーネス６８は、図５に示すように、室内熱交換器５の長手方向（左右方向）について、室内熱交換器５から延在し且つ連絡配管Ｌ１、Ｌ２に接続される冷媒配管５ａ、５ｂよりも、室内熱交換器５の外側を引き回される。
【００４２】
（ドレンパン）
ドレンパン２８は、図８（ａ）に示すように、底部４１と、底部４１の全周囲から上方に延在した周壁部４２とを有している。このドレンパン２８は、長手方向について、右端２８Ｒ近傍（冷媒ガス検出センサ側の端部）に、凝縮水を排水するための排出孔４３を有している。排出孔４３には、排出ホース４４が接続されている。この排出ホース４４は、連絡配管Ｌ１、Ｌ２とともに、室外まで延在する。図８（ｂ）に示すように、ドレンパン２８の底部４１は、左端２８Ｌから右端２８Ｒに向かうにつれて（長手方向について、冷媒ガス検出センサに近づくにつれて）、下方に傾斜している。したがって、室内熱交換器５からドレンパン２８に落下した凝縮水は、ドレンパン２８の左端２８Ｌ側から右端２８Ｒ側に向かって流れて、排出孔４３から排出される。なお、図８（ｂ）では、図の理解を容易とするために、実際よりもドレンパン２８の底部４１の傾斜を大きく図示している。また、図８（ｃ）に示すように、ドレンパン２８の周壁部４２のうち、冷媒ガス検出センサ９側には、切欠き４５が形成されている。切欠き４５は、詳しくは、ドレンパン２８の右端２８Ｒ側の側面（周壁部４２の右側面）に形成される。なお、「冷媒ガス検出センサ側の周壁部」とは、室内熱交換器５の長手方向中央（左右方向中央）よりも冷媒ガス検出センサ９側の周壁部４２のことを指す。したがって、切欠きは、必ずしも周壁部４２の右側面に形成される必要はなく、冷媒ガス検出センサ９側の周壁部４２であればどこに形成されていてもよい。
【００４３】
この空気調和機では、万一、室内熱交換器５内の冷媒配管が破損するなどして、冷媒ガスが漏洩した場合、空気より比重の大きい冷媒ガスは下方に流れて、ドレンパン２８に達する。ドレンパン２８に達した冷媒ガスは、ドレンパン２８の傾斜に沿って左端２８Ｌ側から右端２８Ｒ側に向かって流れるため、ドレンパン２８に達した冷媒ガスは、長手方向について冷媒ガス検出センサ９側において、ドレンパン２８から溢れやすく、特に、周壁部４２に形成された切欠き４５から溢れやすい。溢れた冷媒ガスは、室内機２０の底に滞留し、室内機２０から外部に漏洩する。
【００４４】
（電装品箱）
電装品箱５０には、制御部５１が収納されており、空気調和機の冷暖房運転等に必要な各構成部品の制御を行う。この制御部５１は、図９に示すように、ファンモータ２６、冷媒ガス検出センサ９、フラップモータ２４ａ、シャッターモータ３０ｂを接続しており、室内ファン８、上下フラップ２４、シャッター３０の制御を行ったり、冷媒ガス検出センサ９で検出された冷媒ガスの検出結果に基づいて、冷媒漏れの有無を判断したりする。
【００４５】
（冷媒ガス検出センサ）
冷媒ガス検出センサ９は、漏洩した冷媒ガスを検出するセンサであり、図５に示すように、ドレンパン２８と同じ高さ又はドレンパン２８より下方に配置されている。また、この冷媒ガス検出センサ９は、ドレンパン２８の右外側（長手方向外側）かつドレンパン２８及び室内熱交換器５よりも奥（後方）に配置されている。
【００４６】
この冷媒ガス検出センサ９は、図１０（ａ）、（ｂ）に示すように、冷媒ガスを検出する検出素子６１と、検出素子６１の周囲に配置される筒状（例えば円筒状）のケース部材６２と、検出素子６１及びケース部材６２が下面に固定されるプリント基板６３と、プリント基板６３の周囲を覆うハウジング６４とを有している。
【００４７】
ケース部材６２は、その下端に、漏洩した冷媒ガスをケース部材６２の内部に取り込むためのケース開口６２ａを有している。ケース開口６２ａには、例えば網目状のフィルタが取り付けられている。図１０（ｂ）に示すように、ケース開口６２ａは、水平面に沿って形成されており、ケース開口６２ａの全域が、検出素子６１よりも下方にある。また、ケース部材６２の上端は、プリント基板６３で塞がれており、冷媒ガスが、ケース開口６２ａ以外からケース部材６２の内部に取り込まれないようになっている。また、ハウジング６４は、プリント基板６３の周囲かつ上方を覆う第１ハウジング６５と、プリント基板６３の周囲かつ下方、及びケース部材６２を覆う第２ハウジング６６とを有している。第２ハウジング６６の底面には、複数のスリット６６ａが形成されている。この冷媒ガス検出センサ９では、冷媒ガスが、スリット６６ａ以外からハウジング６４の内部に取り込まれないようになっている。また、第１ハウジング６５には、後述するネジ（固定部材）Ｓが通過する孔部６７が形成されている。
【００４８】
ここで、「冷媒ガス検出センサが、ドレンパンと同じ高さに配置される」とは、図１１（ｂ）に示すように、冷媒ガス検出センサ９のケース開口６２ａが、ドレンパン２８の右端２８Ｒの上端２８Ｒａと下端２８Ｒｂの間にあることを意味する。また、「冷媒ガス検出センサが、ドレンパンより下方に配置される」とは、冷媒ガス検出センサ９のケース開口６２ａが、ドレンパン２８の右端２８Ｒの下端２８Ｒｂよりも下方にあることを意味する。
【００４９】
図１１及び図１２に示すように、センサ取付部７０は、冷媒ガス検出センサ９を取り付けるためのネジ孔（センサ固定部）７１と、冷媒ガス検出センサ９の後端部を収容する収容部７２とを有する。図１２（ａ）に示すように、冷媒ガス検出センサ９がセンサ取付部７０に取り付けられた状態においては、冷媒ガス検出センサ９の後端部が、収容部７２に収容されるとともに、冷媒ガス検出センサ９の孔部６７にネジ（固定部材）Ｓが通過した状態で、ネジ（固定部材）Ｓがネジ孔（センサ固定部）７１に螺合されている。
【００５０】
この冷媒ガス検出センサ９では、冷媒ガス検出センサ９がセンサ取付部７０から取り外される際には、まず、ネジ（固定部材）Ｓがネジ孔（センサ固定部）７１から前方向（固定部材が抜かれる方向（図１２（ａ）参照））に抜かれたあと、冷媒ガス検出センサ９が、センサ取付部７０に対して、前方向（冷媒ガス検出センサの取り外し方向（図１２（ｂ）参照））に所定距離（所定のスライド範囲）スライドされることによって取り外される。
【００５１】
この室内機２０では、図５−図７及び図１１（ａ）に示すように、冷媒ガス検出センサ９の取り外し方向に配置された前面グリル２２及び前面パネル２３（ケーシング２０ａ）が開いた状態（取り外された状態）において、冷媒ガス検出センサ９の取り外し方向に、冷媒ガス検出センサ９の取り外しを規制する連絡配管（規制部材）Ｌ１、Ｌ２が配置されている。したがって、サービスマンやユーザ等が、前面グリル２２及び前面パネル２３（ケーシング２０ａ）を取り外して、室内機２０をメンテナンスする場合、誤って冷媒ガス検出センサ９を取り外そうとしても、連絡配管Ｌ１、Ｌ２が邪魔になって、冷媒ガス検出センサ９を容易に取り外すことができないようになっている。
【００５２】
この連絡配管Ｌ１、Ｌ２は、室内熱交換器５から延びた冷媒配管５ａ、５ｂに接続される連絡配管（冷媒配管）であって、室内機２０の下方に引き回された後で、室内機２０の後方に引き回されて、室外機１０側に延在している。２本の連絡配管Ｌ１、Ｌ２は、例えば１つの断熱材Ｈによって、覆われている。このように、２本の連絡配管Ｌ１、Ｌ２は、断熱材Ｈに覆われているので、連絡配管Ｌ１、Ｌ２が剥き出しの場合に比べて、手やドライバーで、冷媒ガス検出センサ９やネジＳに触れにくいので、より冷媒ガス検出センサ９を取り外しにくくなっている。なお、２本の連絡配管は、それぞれ別の断熱材で覆われていてもよく、その場合でも、同様の効果が得られる。
【００５３】
また、図５に示すように、冷媒配管５ａ、５ｂに接続される連絡配管Ｌ１、Ｌ２の接続部Ｌ１ａ、Ｌ２ａは、冷媒ガス検出センサ９よりも上方に配置される。サービスマンやユーザ等は、冷媒回路を流れる冷媒を抜いて、連絡配管Ｌ１、Ｌ２を冷媒配管５ａ、５ｂから取り外したあとでなければ、冷媒ガス検出センサ９を取り外すことができないようにされている。
【００５４】
ここで、「冷媒ガス検出センサの取り外し方向」とは、固定部材を介して冷媒ガス検出センサがセンサ固定部に固定されるものにおいては、固定部材が抜かれる方向を意味する。したがって、センサ固定部に固定された固定部材が抜かれると、冷媒ガス検出センサが下方に落下するものであっても、「冷媒ガス検出センサの取り外し方向」は、固定部材が抜かれる方向となる。また、冷媒ガス検出センサの取り外し方向に冷媒ガス検出センサがスライドするものにおいては、「冷媒ガス検出センサの取り外し方向」は、そのスライド方向を意味する。また、本実施形態のように、固定部材を介して冷媒ガス検出センサがセンサ固定部に固定され、かつ、冷媒ガス検出センサの取り外し方向に冷媒ガス検出センサがスライドするものにおいては、「冷媒ガス検出センサの取り外し方向」は、固定部材が抜かれる方向、および、冷媒ガス検出センサのスライド方向となる。ただし、本実施形態では、固定部材が抜かれる方向、および、冷媒ガス検出センサのスライド方向は、いずれも前方向であるため、「冷媒ガス検出センサの取り外し方向」は、前方向である。なお、例えば、固定部材が抜かれる方向と冷媒ガス検出センサのスライド方向とが異なる場合には、その２つの方向が、「冷媒ガス検出センサの取り外し方向」である。
【００５５】
また、「規制部材」は、冷媒ガス検出センサの取り外しを規制するものであるため、冷媒ガス検出センサの取り外しを規制する位置に配置される必要がある。本実施形態では、規制部材である連絡配管Ｌ１、Ｌ２の少なくとも一方の少なくとも一部は、図１１（ａ）に示すように、冷媒ガス検出センサ９がセンサ取付部７０に取り付けられた状態において、正面視で冷媒ガス検出センサ９と重なる位置であって、かつ、冷媒ガス検出センサ９のスライド範囲内（図１２（ｂ）参照）に配置されている。また、連絡配管Ｌ１、Ｌ２は、ネジＳがネジ孔７１に螺合された状態において、ドライバーでネジＳを抜くのを妨害する位置、すなわち、正面視においてネジＳに重なる位置またはその近傍であって、かつ、ネジＳと連絡配管Ｌ１、Ｌ２との距離がドライバーの長さの範囲内となるように配置されている。
【００５６】
［本実施形態の空気調和機の室内機の特徴］
本実施形態の空気調和機の室内機２０には、以下の特徴がある。この室内機２０では、冷媒ガス検出センサ９の取り外し方向に配置された前面グリル２２及び前面パネル２３（ケーシング２０ａ）が開いた状態（取り外された状態）において、冷媒ガス検出センサ９の取り外し方向（前方向）に、冷媒ガス検出センサ９の取り外しを規制する連絡配管（規制部材）Ｌ１、Ｌ２が配置されるので、冷媒ガス検出センサ９が容易に取り外されてしまうのを防止できる。したがって、サービスマン等が誤って冷媒ガス検出センサ９を取り外して、冷媒ガス検出センサ９が故障するのを防止できる。
【００５７】
また、本実施形態の空気調和機の室内機２０では、冷媒ガス検出センサ９の取り外し方向に冷媒ガス検出センサ９をスライドさせることによって、冷媒ガス検出センサ９がセンサ取付部７０から取り外されるものにおいて、冷媒ガス検出センサ９のスライド範囲内に、連絡配管（規制部材）Ｌ１、Ｌ２が配置されるので、冷媒ガス検出センサ９が容易に取り外されてしまうのを防止できる。
【００５８】
また、本実施形態の空気調和機の室内機２０では、冷媒ガス検出センサ９が、ネジ孔（センサ固定部）７１に固定されたネジ（固定部材）Ｓが抜かれた（外された）後で、センサ取付部７０から取り外されるものにおいて、ネジ（固定部材）Ｓが抜かれる（外される）方向に、連絡配管（規制部材）Ｌ１、Ｌ２が配置されるので、冷媒ガス検出センサ９が容易に取り外されてしまうのを防止できる。
【００５９】
また、本実施形態の空気調和機の室内機２０では、冷媒ガス検出センサ９が室内熱交換器５に対して電装品箱５０と同じ側に配置されて、冷媒ガス検出センサ９が誤って取り外されやすい状態において、冷媒ガス検出センサ９の取り外し方向に、冷媒ガス検出センサ９の取り外しを規制する連絡配管（規制部材）Ｌ１、Ｌ２が配置されるので、冷媒ガス検出センサ９が容易に取り外されてしまうのを防止できる。
【００６０】
また、本実施形態の空気調和機の室内機２０では、規制部材が室内熱交換器５から延びた冷媒配管５ａ、５ｂに接続される連絡配管Ｌ１、Ｌ２であるので、冷媒回路内の冷媒を抜いて、連絡配管Ｌ１、Ｌ２を取り外したあとでなければ、冷媒ガス検出センサ９を取り外すことができないので、冷媒ガス検出センサ９が取り外されるのをより防止しやすい。また、従来から室内機２０の内部に配置される連絡配管Ｌ１、Ｌ２を利用して、冷媒ガス検出センサ９の取り外しを防止しているので、冷媒ガス検出センサ９の取り外しを防止する構成を新たに追加する必要がない。
【００６１】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味及び範囲内でのすべての変更が含まれる。
【００６２】
［第１変形例］
次に、図１３を参照しつつ本発明の第１変形例にかかる空気調和機の室内機について説明する。図１３に示すように、本変形例にかかる空気調和機の室内機は、冷媒ガス検出センサ９の取り外し方向（前方向）に、冷媒ガス検出センサ９の取り外しを規制する断熱材（規制部材）４０ａが配置される点で上記実施形態と異なり、その他の構成は、上記実施形態と同じである。なお、図１３では、上記実施形態と構成が同じであるものには同じ符号を付している。
【００６３】
図１３に示すように、断熱材４０ａは、ドレンパン２８の外周に取り付けられている。この断熱材４０ａは、少なくとも一部が、正面視において冷媒ガス検出センサ９と重なる位置であって、かつ、冷媒ガス検出センサ９のスライド範囲内に配置される。また、断熱材４０ａは、ネジＳがネジ孔７１に螺合された状態において、ドライバーでネジＳを抜くのを妨害する位置、すなわち、正面視においてネジＳに重なる位置またはその近傍であって、かつ、ネジＳと断熱材４０ａとの距離がドライバーの長さの範囲内となるように配置されている。したがって、この空気調和機の室内機では、断熱材４０ａを取り外さなければ、冷媒ガス検出センサ９を取り外すことができないようにされている。
【００６４】
第１変形例にかかる空気調和機の室内機では、従来から室内機の内部にある断熱材４０ａを利用することで、冷媒ガス検出センサ９が取り外されるのを防止しているので、冷媒ガス検出センサ９が取り外されるのを防止する構成を新たに追加する必要がない。
【００６５】
［第２変形例］
次に、図１４を参照しつつ本発明の第２変形例にかかる空気調和機の室内機について説明する。図１４に示すように、本変形例にかかる空気調和機の室内機は、冷媒ガス検出センサ９の取り外し方向（前方向）に、冷媒ガス検出センサ９の取り外しを規制する電装品箱（規制部材）５０ａが配置される点で上記実施形態と異なり、その他の構成は、上記実施形態と同じである。なお、図１４では、上記実施形態と構成が同じであるものには同じ符号を付している。
【００６６】
図１４に示すように、電装品箱５０ａは、上記実施形態とは異なり、冷媒ガス検出センサ９の前側に取り付けられている。この電装品箱５０ａは、少なくとも一部が、図示は省略するが、正面視において冷媒ガス検出センサ９と重なる位置であって、かつ、冷媒ガス検出センサ９のスライド範囲内に配置される。また、電装品箱５０は、ネジＳがネジ孔７１に螺合された状態において、ドライバーでネジＳを抜くのを妨害する位置、すなわち、正面視においてネジＳに重なる位置またはその近傍であって、かつ、ネジＳと断熱材４０ａとの距離がドライバーの長さの範囲内となるように配置されている。したがって、この空気調和機の室内機では、電装品箱５０ａを取り外さなければ、冷媒ガス検出センサ９を取り外すことができないようにされている。
【００６７】
第２変形例にかかる空気調和機の室内機では、従来から室内機の内部にある電装品箱５０ａを利用することで、冷媒ガス検出センサ９が取り外されるのを防止しているので、冷媒ガス検出センサ９が取り外されるのを防止する構成を新たに追加する必要がない。
【００６８】
［その他変形例］
上述の実施形態では、ネジ孔（センサ固定部）７１に固定されたネジ（固定部材）Ｓが抜かれた後で、冷媒ガス検出センサ９が冷媒ガス検出センサ９の取り外し方向にスライドされることによって、冷媒ガス検出センサ９がセンサ取付部７０から取り外される場合について説明した。しかし、ネジ孔（センサ固定部）およびネジ（固定部材）を有しておらず、単に冷媒ガス検出センサが冷媒ガス検出センサの取り外し方向にスライドされることによって、冷媒ガス検出センサがセンサ取付部から取り外されるものであってもよいし、そのようにスライドさせる機構がなくて、単にネジ孔（センサ固定部）に固定されたネジ（固定部材）が抜かれることによって、冷媒ガス検出センサがセンサ取付部から取り外されるもの、すなわち、ネジが抜かれると冷媒ガス検出センサが落下するものであってもよい。
【００６９】
また、上述の実施形態では、ネジ（固定部材）Ｓが抜かれる方向、および、冷媒ガス検出センサ９のスライド方向が、ともに前方向である場合について説明したが、例えば、右方向、左方向、上方向、下方向、後方向でもよいし、固定部材が抜かれる方向、および、冷媒ガス検出センサのスライド方向が異なっていてもよい。
【００７０】
また、上述の実施形態では、ネジ（固定部材）Ｓが抜かれるのを邪魔する位置、および、冷媒ガス検出センサ９のスライド範囲内に、規制部材が配置される場合について説明したが、固定部材が抜かれるのを邪魔する位置、および、冷媒ガス検出センサのスライド範囲内の一方にだけ、規制部材が配置されてもよい。また、例えば、固定部材が抜かれる方向と冷媒ガス検出センサのスライド方向とが異なる場合においても、規制部材は、その両方向にあってもよいし、片方の方向にだけあってもよい。
【００７１】
また、上述の実施形態では、ケーシング２０ａが、底フレーム２１と前面グリル２２と前面パネル２３とを有する場合について説明したが、これに限られない。例えば、冷媒ガス検出センサの取り外し方向が右方向、左方向、上方向、または下方向である場合、冷媒ガス検出センサの着脱の観点から、ケーシングが右パネル、左パネル、上パネル、または下パネルを有していることが好ましい。
【００７２】
また、上述の実施形態では、冷媒ガス検出センサの取り外しを規制する規制部材が、連絡配管Ｌ１、Ｌ２である場合について説明したが、冷媒ガス検出センサの取り外し方向に配置されたケーシングが開いた状態において、冷媒ガス検出センサの取り外しを規制するものであれば、連絡配管に限られない。例えば、第１変形例に示したように、規制部材がドレンパンの外周に配置された断熱材であってもよいし、第２変形例に示したように、規制部材が電装品箱であってもよい。また、規制部材は、室内熱交換器から延びた冷媒配管、または、他の配管であってもよいし、連絡配管の外周を覆う断熱材、または、他の部材を覆う断熱材であってもよいし、その他の部材であってもよい。
【００７３】
また、上述の実施形態では、センサ固定部および固定部材が、ネジ孔７１およびネジＳである場合について説明したが、センサ固定部および固定部材は、固定部材が、センサ固定部に対して、所定の取り外し方向に取り外されるものであれば、ネジ孔およびネジに限られない。例えば、固定部材が、所定の取り外し方向に沿って延びた棒状部材（例えばくさび）であって、センサ固定部が、棒状部材（例えばくさび）が係止する係止部材であってもよい。
【００７４】
また、上述の実施形態では、冷媒ガス検出センサ９及び電装品箱５０が、室内熱交換器５の長手方向外側であって、かつ同じ側（右外側）に配置される場合について、説明したが、冷媒ガス検出センサ及び電装品箱は、室内熱交換器の長手方向外側であって、かつ同じ側（右外側）に配置されなくてもよい。したがって、冷媒ガス検出センサは、例えば正面視において、室内熱交換器の下方、上方、または後方に配置されてもよい。
【００７５】
また、上述の実施形態では、冷媒ガス検出センサ９の取り外し方向に配置された前面グリル２２及び前面パネル２３（ケーシング２０ａ）が取り外される場合について説明したが、冷媒ガス検出センサ９の取り外し方向に配置されたケーシングは、例えば上方に回動するように開くものであってもよい。
【００７６】
また、上述の実施形態では、室内機が床置き型の室内機である場合を説明したが、室内機は床置き型以外の室内機であってよいし、壁掛けの室内機であってよい。
【産業上の利用可能性】
【００７７】
本発明を利用すれば、冷媒ガス検出センサが容易に取り外されてしまうのを防止できる。
【符号の説明】
【００７８】
５  室内熱交換器
５ａ、５ｂ  冷媒配管
９  冷媒ガス検出センサ
２０  室内機
２０ａ  ケーシング
４０ａ  断熱材（規制部材）
５０  電装品箱
５０ａ  電装品箱（規制部材）
７０  センサ取付部
７１  ネジ孔（センサ固定部）
Ｌ１、Ｌ２  連絡配管（規制部材）
Ｓ  ネジ（固定部材）
【図５】
0005987887.tif 000002
【図１】
0005987887.tif 000003
【図２】
0005987887.tif 000004
【図３】
0005987887.tif 000005
【図４】
0005987887.tif 000006
【図６】
0005987887.tif 000007
【図７】
0005987887.tif 000008
【図８】
0005987887.tif 000009
【図９】
0005987887.tif 000010
【図１０】
0005987887.tif 000011
【図１１】
0005987887.tif 000012
【図１２】
0005987887.tif 000013
【図１３】
0005987887.tif 000014
【図１４】
0005987887.tif 000015